【手続補正書】
【提出日】平成18年4月14日(2006.4.14)
【手続補正１】
【補正対象書類名】明細書
【補正対象項目名】特許請求の範囲
【補正方法】変更
【補正の内容】
【特許請求の範囲】
【請求項１】  ポリマーであって：
（ｉ）複数の求核性官能基または求電子性官能基を含むポリマー骨格単位、および
（ｉｉ）１種以上のオリゴサッカリド異種抗原であって、各異種抗原は、（ａ）オリゴサッカリド部分、と（ｂ）該ポリマー骨格単位上に提示される複数の官能基と反応可能な官能基、とを含む異種抗原、
のクロスカップリング反応によって合成され、この反応は、ポリマー骨格単位が異種抗体と結合され、そして別個のポリマー骨格単位が互いに架橋する条件下で、架橋試薬の存在下で実行される、ポリマー。
【請求項２】  請求項１に記載のポリマーであって、ここで前記ポリマー骨格単位についての官能基および異種抗原が、アミンおよびカルボン酸、アルコールおよびアルキルハライドまたはスルホネート、チオールおよびアルキルハライドまたはスルホネート、ホスフィンおよびアルキルハライドまたはスルホネート、亜リン酸エステルおよびアルキルハライドまたはスルホネート、ならびにアルデヒドまたはケトンおよびアミンからなる群より選択される、ポリマー。
【請求項３】  請求項１に記載のポリマーであって、ここで前記官能基が、クロスカップリングに際して、前記ポリマー骨格単位と異種抗原との間のアミド結合、エーテル結合、チオエーテル結合、またはリン酸結合を形成する、ポリマー。
【請求項４】  請求項１に記載のポリマーであって、前記官能基が、クロスカップリングに際して、前記ポリマー骨格単位と異種抗原との間のアミド結合を形成する、ポリマー。
【請求項５】  請求項１に記載のポリマーであって、ここで前記クロスカップリングが、前記ポリマー骨格単位の官能基を活性化する活性化剤およびそれらの間に共有結合を形成するために異種抗原の存在下で実行される、ポリマー。
【請求項６】  請求項５に記載のポリマーであって、ここで前記活性化基が脱水剤、ブレンステッド酸、ブレンステッド塩基、ルイス酸、ルイス塩基、アシルハライド、およびホスホリルハライドからなる群より選択される、ポリマー。
【請求項７】  前記活性化剤がジイミドである、請求項５に記載のポリマー。
【請求項８】  前記活性化剤がジシクロヘキシルジイミド［ＤＣＣ］またはエチル−３−（ジメチルアミノ）プロピルジイミド［ＥＤＣ］である、請求項７に記載のポリマー。
【請求項９】  前記ポリマー骨格単位が、薬学的に受容可能な非免疫原性分子であり、そして好ましくは、該ポリマー全体が非免疫原性である、請求項１に記載のポリマー。
【請求項１０】  前記ポリマー骨格単位が、求核性官能基または求電子官能基を有するポリエチレングリコールを含む、請求項９に記載のポリマー。
【請求項１１】  請求項１０に記載のポリマーであって、ここで前記ポリマー骨格単位上の前記求核性官能基または求電子官能基が、アミン、アルコール、チオール、セレノール、ホスフィン、アルデヒド、ケトン、酸塩化物、酸、エステル、アルキルハライド、およびアルキルスルホネートからなる群より選択される、ポリマー。
【請求項１２】  請求項１１に記載のポリマーであって、ここで前記ポリマー骨格単位上の前記官能基がアミノ部分またはカルボキシレート部分であり、そして前記異種抗原の官能基がそれと反応してアミド結合を形成する、ポリマー。
【請求項１３】  前記ポリマー骨格単位が、オクタ（アミノ）ポリエチレングリコールである、請求項１２に記載のポリマー。
【請求項１４】  前記ポリマー骨格単位が、１，０００Ｄａ〜１００，０００Ｄａの範囲の分子量を有する、請求項１に記載のポリマー。
【請求項１５】  請求項１〜１４のいずれか１項に記載のポリマーであって、ここで前記異種抗原が以下の一般式：
【化１】
2002511431.tif 000001
で示されるαＧａｌ（１，３）Ｇａｌ部分を有するオリゴサッカリドを含み、
ここで：
Ｒは各々の例について独立して、ＨまたはＣ１〜Ｃ６アルキルまたは他のヒドロキシル保護基を示し；
Ｒ’は、存在しないか、または１〜８サッカリド残基からなるオリゴサッカリドを示し；そして
Ｘは、オリゴサッカリド部分を前記ポリマー骨格へ連結する結合またはリンカー部分を示す、ポリマー。
【請求項１６】  請求項１〜１４のいずれか１項に記載のポリマーであって、ここで前記異種抗原が、以下の一般式：
【化２】
2002511431.tif 000002
の１つによって示されたオリゴサッカリドを含み、
ここで：
Ｒ１は、各々の例について独立して、Ｈ、−ＯＲ、−ＳＲ、または−Ｎ（Ｈ）−Ｙ−Ｒであり；
Ｒは、各々の例について独立して、ＨまたはＣ１〜Ｃ６アルキルまたは他のヒドロキシル保護基を示し；
Ｒ２は、Ｃ１〜Ｃ６アルキルであり；
Ｙは、各々の例について独立して、存在しないか、または−Ｃ（Ｓ）−、−Ｓ（Ｏ）２−、もしくは−Ｃ（Ｏ）−Ａ−であり；
Ｘは、該オリゴサッカリド部分を前記ポリマー骨格へ連結する結合またはリンカー部分を示し；
Ｚは、ＯまたはＳであり；そして
Ａは、−ＮＨ−、−ＮＨ−（Ｃ１−Ｃ６アルキル）−、−ＮＨ−（Ｃ１−Ｃ６アルケニル）−、−Ｏ−、−Ｏ−（Ｃ１−Ｃ６アルキル）、−Ｏ−（Ｃ１−Ｃ６アルケニル）、−Ｓ−、−Ｓ−（Ｃ１−Ｃ６アルキル）、−Ｓ−（Ｃ１−Ｃ６アルケニル）である、ポリマー。
【請求項１７】  前記異種抗原が、αＧａｌ（１，３）βＧａｌ；αＧａｌ（１，３）βＧａｌ（１，４）βＧｌｃＮＡｃ；またはαＧａｌ（１，３）βＧａｌ（１，４）βＧｌｃの部分の１つ以上を含む、請求項１〜１６のいずれか１項に記載のポリマー。
【請求項１８】  前記異種抗原が、ジ−、トリ−、テトラ−およびペンタ−オリゴサッカリドを含む、請求項１〜１７のいずれか１項に記載のポリマー。
【請求項１９】  前記異種抗原が、αＧａｌ（１，２）Ｇａｌ、αＧａｌ（１，４）Ｇａｌ、βＧａｌ（１，３）ＧａｌＮＡｃまたは３−Ｏ硫酸化ガラクトース（ＳＯ４−３Ｇａｌ）の１つ以上を含む、請求項１〜１４のいずれか１項に記載のポリマー。
【請求項２０】  ２つ以上の異なる異種抗原を含む、請求項１〜１９のいずれか１項に記載のポリマー。
【請求項２１】  請求項１〜２０のいずれか１項に記載のポリマーであって、ここで前記架橋剤は、前記ポリマー骨格単位、前記異種抗原、異種抗原を有する該骨格の共有結合、またはその組合せと反応し得る二官能基を含む、ポリマー。
【請求項２２】  前記架橋剤がＮ−ヒドロキシスルホスクシンイミド（ＮＨＳＳ）に由来する、請求項１〜２１のいずれか１項に記載のポリマー。
【請求項２３】  前記架橋剤がＮＨＳＳである、請求項１〜２２のいずれか１項に記載のポリマー。
【請求項２４】  前記異種抗原に対するＢ細胞アネルギーを誘導する、請求項１〜２３のいずれか１項に記載のポリマー。
【請求項２５】  ２０以下の多分散性を有する、請求項１〜２４のいずれか１項に記載のポリマー。
【請求項２６】  前記異種抗原に対して免疫寛容を生じる、請求項１〜２５のいずれか１項に記載のポリマー。
【請求項２７】  薬学的賦形剤とともに処方される、請求項１〜２６のいずれか１項に記載のポリマー。
【請求項２８】  滅菌処方物として処方される、請求項１〜２７のいずれか１項に記載のポリマー。
【請求項２９】  非免疫原性の薬学的に受容可能な架橋ポリマー、および該架橋ポリマーに共有結合した複数のαＧａｌ（１，３）Ｇａｌ部分を含む、組成物。
【請求項３０】  前記ポリマーがポリ（アミノ）ポリエチレングリコールを含む、請求項２９に記載の組成物。
【請求項３１】  請求項２９または３０に記載の組成物であって、ここで前記αＧａｌ（１，３）Ｇａｌ部分が以下の一般式：
【化３】
2002511431.tif 000003
で示され、
ここで：
Ｒは各々の例について独立して、ＨまたはＣ１〜Ｃ６アルキルまたは他のヒドロキシル保護基を示し；
Ｒ’は、存在しないか、または１〜８サッカリド残基であるオリゴサッカリドを示し；そして
Ｘは、オリゴサッカリド部分をキャリアへ連結する結合またはリンカー部分を示す、組成物。
【請求項３２】  前記αＧａｌ（１，３）Ｇａｌ部分が、αＧａｌ（１，３）βＧａｌ部分；αＧａｌ（１，３）βＧａｌ（１，４）βＧｌｃＮＡｃ部分；およびαＧａｌ（１，３）βＧａｌ（１，４）βＧｌｃ部分からなる群より選択される、請求項２９に記載の組成物。
【請求項３３】  前記αＧａｌ（１，３）Ｇａｌ部分が、ジ−、トリ−、テトラ−またはペンタ−オリゴサッカリドである、請求項２９に記載の組成物。
【請求項３４】  前記ポリマー骨格単位がＮ−ヒドロキシスルホスクシンイミドに由来する試薬によって架橋されている、請求項２９に記載の組成物。
【請求項３５】  前記ポリマー骨格単位が、Ｎ−ヒドロキシスルホスクシンイミドにより架橋されている、請求項２９に記載の組成物。
【請求項３６】  霊長類被験体において、抗（αＧａｌ（１，３）Ｇａｌ）抗体の血漿レベルを低下させるために有用な組成物を合成するための方法であって、該方法は、ｐＨ４〜７の範囲の溶液中で以下の試薬：
ａ）少なくとも３つのアーム、および該アームの遊離の末端に共有結合された少なくとも３つのカルボキシル基を有する分枝ポリマー；
ｂ）共有結合されたアミノ基またはヒドラジノ基を有する、αＧａｌ（１，３）Ｇａｌ含有部分；
ｃ）Ｎ−（３−ジメチルアミノプロピル）−Ｎ’−エチルカルボジイミド；および
ｄ）Ｎ−ヒドロキシスルホスクシンイミド、
を反応させる工程を含む、方法。
【請求項３７】  前記αＧａｌ（１，３）Ｇａｌ部分が、１〜１０倍モル過剰で前記分枝ポリマーの前記アームと反応する、請求項３６に記載の方法。
【請求項３８】  被験体において、抗異種移植片抗体の血漿レベルを低下させるために有用な組成物を処方するのための方法であって、該方法は以下の工程：
Ａ．（ｉ）複数の求核官能基または求電子官能基を含むポリマー骨格単位、および
（ｉｉ）該ポリマー骨格単位上に提示される官能基と反応可能である官能基を含む異種抗原、
のクロスカップリング反応によって、請求項１〜３５のいずれか１項に記載のポリマーまたは組成物を生成し、
ここで該クロスカップリング反応は、架橋試薬の存在下で、ポリマー骨格単位が該異種抗原とカップリングされ、そして該ポリマーのポリマー骨格単位が互いに架橋される条件下で実行される、工程；および
Ｂ．滅菌薬学的調製物として該ポリマーを処方する工程、
を包含する、方法。
【請求項３９】  医薬における使用のための、請求項１〜３５のいずれか１項に記載のポリマーまたは組成物。
【請求項４０】  ドナー動物からレシピエント動物に移植された組織または細胞の拒絶を低減するための医薬の製造における、請求項１〜３５のいずれか１項に記載のポリマーまたは組成物の、使用。
【請求項４１】  請求項４０に記載の使用であって、ここで請求項４０に記載の医薬は、前記動物が前記組織または細胞を移植される前の、前処置レジメンとしての該動物への投与のためのものである、使用。
【請求項４２】  請求項４０に記載の使用であって、ここで請求項４０に記載の医薬は、前記動物が前記組織または細胞を移植された後の、該動物への投与のためのものである、使用。
【請求項４３】  請求項４２に記載の使用であって、ここで前記医薬は、前記移植された組織または細胞の超急性拒絶反応を抑制するに十分な量での投与のためのものである、使用。
【請求項４４】  請求項４０に記載の使用であって、ここで、前記レシピエント動物が内因性のＵＤＰガラクトース：β−Ｄ−ガラクトシル−１，４−Ｎ−アセチル−Ｄ−グルコサミニド  α（１，３）ガラクトシルトランスフェラーゼ（α１，３−ＧＴ）活性を有さないか、あるいはその細胞、組織、もしくは器官でαＧａｌ（１，３）Ｇａｌ異種抗原を産生または提示しない、使用。
【請求項４５】  組成物に関連する１つ以上のＢ細胞を含む複合体であって、該組成物は、
非免疫原性の薬理学的に受容可能な架橋ポリマー；および
該架橋ポリマーに共有結合した複数のαＧａｌ（１，３）Ｇａｌ部分、
を含む、複合体。
【請求項４６】  組成物に関連する１つ以上の抗体を含む複合体であって、該組成物は、
非免疫原性の薬理学的に受容可能な架橋ポリマー；および
該架橋ポリマーに共有結合した複数のαＧａｌ（１，３）Ｇａｌ部分、
を含む、複合体。
【請求項４７】  請求項１〜２６のいずれか１項に記載のポリマーを生産するためのプロセスであって、ここで前記クロスカップリング反応が、ｐＨ４〜７の範囲で実行される、プロセス。
【請求項４８】  請求項１〜２６のいずれか１項に記載のポリマーを生産するためのプロセスであって、ここで前記クロスカップリング反応が、０℃〜４０℃の温度範囲で実行される、プロセス。
【請求項４９】  請求項１〜２６のいずれか１項に記載のポリマーを生産するためのプロセスであって、ここで前記クロスカップリング反応が、１００，０００〜５００，０００ダルトンの名目上の分子量を有するポリマーを産生するに十分な温度、ｐＨ、反応物濃度、および時間で実行される、プロセス。
【請求項５０】  請求項１〜２６のいずれか１項に記載のポリマーを生産するためのプロセスであって、ここで前記クロスカップリング反応が、１００，０００ダルトンより小さい名目上の分子量を有するポリマーを産生するに十分な温度、ｐＨ、反応物濃度、および時間で実行される、プロセス。